(57)【要約】【課題】省エネ制御を変更してもユーザーへの不満が無いＭＦＰ装置、ＭＦＰ装置の制御方法、プログラム、及び記憶媒体を提供する。【解決手段】選択された機能に応じて異なる組合せで内蔵する複数のデバイスを連動させる連動手段と、選択された機能に応じて不要なデバイスを省エネモードで待機させる待機手段と、選択された機能に応じて省エネモードで待機させるデバイスの制御を設定する設定手段と、利用者毎の使用電力量を保存/読み出しする保存/読出手段と、現在の設定状況での使い勝手が良いか否かをユーザーに問い合わせる問合せ手段と、得られた回答によって省エネモードの制御を変更する変更手段と、を備えた。【選択図】図１
2010212963.tif 000002
【特許請求の範囲】
【請求項１】
複数の機能を具備したＭＦＰ装置において、
選択された機能に応じて異なる組合せで内蔵する複数のデバイスを連動させる連動手段と、
選択された機能に応じて不要なデバイスを省エネモードで待機させる待機手段と、
選択された機能に応じて省エネモードで待機させるデバイスの制御を設定する設定手段と、
利用者毎の使用電力量を保存/読み出しする保存/読出手段と、
現在の設定状況での使い勝手が良いか否かをユーザーに問い合わせる問合せ手段と、
得られた回答によって省エネモードの制御を変更する変更手段と、
を備えたことを特徴とするＭＦＰ装置。
【請求項２】
請求項１記載の装置において、
現在の設定状況での使い勝手が良いか否かをユーザーに問い合わせるタイミングをアプリケーション機能単位の終了時に行う手段を備えたことを特徴とするＭＦＰ装置。
【請求項３】
請求項１記載の装置において、
現在の設定状況での使い勝手が良いか否かをユーザーに問い合わせるタイミングを機能単位の終了時に行う手段を備えたことを特徴とするＭＦＰ装置。
【請求項４】
請求項１記載の装置において、
現在の設定状況での使い勝手が良いか否かをユーザーに問い合わせる際に、その問い合わせを、Ｅ−ｍａｉｌを使って行う手段を備えたことを特徴とするＭＦＰ装置。
【請求項５】
請求項１記載の装置において、
現在の設定状況での使い勝手が良いか否かをユーザーに問い合わせる際に、その問い合わせを、レポートを使って行う手段を備えたことを特徴とするＭＦＰ装置。
【請求項６】
請求項１記載の装置において、
ユーザーの機能利用権限を判断する手段と、
省エネモードの制御を変更する際に、その判断内容を加味する手段と、
を備えたことを特徴とするＭＦＰ装置。
【請求項７】
請求項１記載の装置において、
ユーザーの機能利用頻度を判断する手段と、
省エネモードの制御を変更する際に、その判断内容を加味する手段と、
を備えたことを特徴とするＭＦＰ装置。
【請求項８】
複数の機能を具備したＭＦＰ装置の制御方法において、
選択された機能に応じて異なる組合せで内蔵する複数のデバイスを連動させる工程と、
選択された機能に応じて不要なデバイスを省エネモードで待機させる工程と、
選択された機能に応じて省エネモードで待機させるデバイスの制御を設定する工程と、
利用者毎の使用電力量を保存/読み出しする工程と、
現在の設定状況での使い勝手が良いか否かをユーザーに問い合わせる工程と、
得られた回答によって省エネモードの制御を変更する工程と、
を備えたことを特徴とするＭＦＰ装置の制御方法。
【請求項９】
複数の機能を具備したＭＦＰ装置のコンピュータに、
連動手段が、選択された機能に応じて異なる組合せで内蔵する複数のデバイスを連動させる手順、
待機手段が、選択された機能に応じて不要なデバイスを省エネモードで待機させる手順、
設定手段が、選択された機能に応じて省エネモードで待機させるデバイスの制御を設定する手順、
保存/読出手段が、利用者毎の使用電力量を保存/読み出しする手順、
問合せ手段が、現在の設定状況での使い勝手が良いか否かをユーザーに問い合わせる手順、
変更手段が、得られた回答によって省エネモードの制御を変更する手順、
を実行させることを特徴とするプログラム。
【請求項１０】
請求項９記載のプログラムを記憶したことを特徴とする記憶媒体。
【発明の詳細な説明】
【技術分野】
【０００１】
本発明は、ＭＦＰ装置、ＭＦＰ装置の制御方法、プログラム、及び記憶媒体に関する。
【背景技術】
【０００２】
近年、地球温暖化などに注目がされており、それに伴い省エネに関する意識が高まっている。
ＭＦＰ(Multifunction Peripheral：複合機)装置には、プロッタ、スキャナ、操作部の液晶パネル、Fax用の通信ボード、ＬＡＮ(Local Area Network)ボードなど、電力を多く消費するデバイスが数多く存在する。一般に、ＭＦＰ装置には省エネモードという設定を有し、その省エネモードになっていると、これらのデバイスに最低限の電力のみが供給されて電力消費を抑えることができる。
【０００３】
しかしながら、省エネモードの解除はユーザーの操作開始時(操作部のキーを押下した場合など)に行われてしまうため、例え操作部からアドレス帳のデータを登録したいために省エネモードが解除された場合でも、プロッタやスキャナなどの省エネ状態が解除されてしまう。
【０００４】
このため、この種の問題を解決するために、各デバイスの省エネ制御を、アプリケーション、機能、利用しているユーザーの利用権限、利用頻度などの情報を利用して細かく制御するという目的の発明が提案されている（例えば、特許文献１〜３参照。）。
【０００５】
特許文献１に記載の発明は、画像形成装置の省エネモード制御方法に関する発明であり、具体的には、画像形成処理で使用されるハードウェア資源と画像形成処理を行うプログラムとを有する画像形成装置で省エネモードの制御を行う方法であって、画像形成装置が未使用である待機状態に画像形成装置を省エネモードに移行させる工程と、操作者の所持するデータキャリアが画像形成装置にセットされた場合に画像形成装置の少なくとも一部の機能を復帰させる工程とを備えたものである。
【０００６】
特許文献１に記載の発明によれば、操作者の所持するデータキャリアが画像形成装置にセットされることをトリガとして必要最小限の機能を復帰させるため、省エネ効果が高いとともに、操作者の使い勝手を悪化させてしまうことがないとしている。
【０００７】
特許文献２に記載の発明は、画像形成装置及び画像形成装置の省電力モード制御方法に関する発明であり、具体的には、定着手段を有する画像形成装置において、定着手段を複数の温度制御モードで制御する省電力モードを有するものである。
【０００８】
特許文献２に記載の発明によれば、定着手段を複数の温度制御モードで制御する省電力モードを有するので、不必要な電力消費を防ぐとともに各モード毎に適切な定着装置の温度制御を行うことができるとしている。
【０００９】
特許文献３に記載の発明は、情報機器に関する発明であり、具体的には、選択された情報処理機能に応じて、異なる組合せで内蔵する複数のデバイスを連動させ、情報を処理し、処理の休止時に省電力動作モードで待機する情報機器であって、複数のデバイスごとに電力の供給／停止が制御可能な電力供給手段と、省電力動作時に電力供給を停止させるデバイスを設定する省電力動作モード設定手段と、省電力動作モード設定手段により設定されたデバイスに対する電力供給手段による電力の供給／停止を制御する省電力制御手段を備えたものである。
【００１０】
特許文献３に記載の発明によれば、省電力動作時に、設定に従って所定のデバイスを対象に電力（電源やクロック）の供給／停止制御を行うようにしたので、利用する機能がユーザーによってそれぞれ異なる場合にも、ユーザーの利用状況に応じて設定したデバイスを対象に電力供給を停止させることにより、きめ細かい省エネモードの動作を行うことが可能になるとしている。
【発明の概要】
【発明が解決しようとする課題】
【００１１】
しかしながら、上述した従来技術では、実際にユーザーが感じている使い勝手の情報を反映はしていない。
【００１２】
そこで、本発明では、省エネ制御を変更してもユーザーへの不満が無いＭＦＰ装置、ＭＦＰ装置の制御方法、プログラム、及び記憶媒体の提供を目的としている。
【課題を解決するための手段】
【００１３】
上記課題を解決するため、請求項１記載の発明は、複数の機能を具備したＭＦＰ装置において、選択された機能に応じて異なる組合せで内蔵する複数のデバイスを連動させる連動手段と、選択された機能に応じて不要なデバイスを省エネモードで待機させる待機手段と、選択された機能に応じて省エネモードで待機させるデバイスの制御を設定する設定手段と、利用者毎の使用電力量を保存/読み出しする保存/読出手段と、現在の設定状況での使い勝手が良いか否かをユーザーに問い合わせる問合せ手段と、得られた回答によって省エネモードの制御を変更する変更手段と、を備えたことを特徴とする。
【００１４】
請求項２記載の発明は、請求項１記載の装置において、現在の設定状況での使い勝手が良いか否かをユーザーに問い合わせるタイミングをアプリケーション機能単位の終了時に行う手段を備えたことを特徴とする。
【００１５】
請求項３記載の発明は、請求項１記載の装置において、現在の設定状況での使い勝手が良いか否かをユーザーに問い合わせるタイミングを機能単位の終了時に行う手段を備えたことを特徴とする。
【００１６】
請求項４記載の発明は、請求項１記載の装置において、現在の設定状況での使い勝手が良いか否かをユーザーに問い合わせる際に、その問い合わせを、Ｅ−ｍａｉｌを使って行う手段を備えたことを特徴とする。
【００１７】
請求項５記載の発明は、請求項１記載の装置において、現在の設定状況での使い勝手が良いか否かをユーザーに問い合わせる際に、その問い合わせを、レポートを使って行う手段を備えたことを特徴とする。
【００１８】
請求項６記載の発明は、請求項１記載の装置において、ユーザーの機能利用権限を判断する手段と、省エネモードの制御を変更する際に、その判断内容を加味する手段と、
を備えたことを特徴とする。
【００１９】
請求項７記載の発明は、請求項１記載の装置において、ユーザーの機能利用頻度を判断する手段と、省エネモードの制御を変更する際に、その判断内容を加味する手段と、
を備えたことを特徴とする。
【００２０】
請求項８記載の発明は、複数の機能を具備したＭＦＰ装置の制御方法において、選択された機能に応じて異なる組合せで内蔵する複数のデバイスを連動させる工程と、選択された機能に応じて不要なデバイスを省エネモードで待機させる工程と、選択された機能に応じて省エネモードで待機させるデバイスの制御を設定する工程と、利用者毎の使用電力量を保存/読み出しする工程と、現在の設定状況での使い勝手が良いか否かをユーザーに問い合わせる工程と、得られた回答によって省エネモードの制御を変更する工程と、を備えたことを特徴とする。
【００２１】
請求項９記載の発明は、複数の機能を具備したＭＦＰ装置のコンピュータに、連動手段が、選択された機能に応じて異なる組合せで内蔵する複数のデバイスを連動させる手順、待機手段が、選択された機能に応じて不要なデバイスを省エネモードで待機させる手順、設定手段が、選択された機能に応じて省エネモードで待機させるデバイスの制御を設定する手順、保存/読出手段が、利用者毎の使用電力量を保存/読み出しする手順、問合せ手段が、現在の設定状況での使い勝手が良いか否かをユーザーに問い合わせる手順、変更手段が、得られた回答によって省エネモードの制御を変更する手順、を実行させることを特徴とする。
【００２２】
請求項１０記載の発明は、請求項９記載のプログラムを記憶した記憶媒体であることを特徴とする。
【発明の効果】
【００２３】
本発明によれば、省エネ制御を変更した際、ユーザーに使い勝手を問い合わせて、得られた回答内容を判断材料とするため、省エネ制御をよりユーザーに不満の無いような設定にすることができる。これにより、省エネ制御を変更しても省エネ制御をユーザーに不満の無いような設定にすることができるＭＦＰ装置、ＭＦＰ装置の制御方法、プログラム、及び記憶媒体の提供を実現することができる。
【図面の簡単な説明】
【００２４】
【図１】本発明に係るＭＦＰ装置の一実施の形態を示すブロック図である。
【図２】図１に示したＭＦＰ装置の制御手段のブロック図の一例である。
【図３】図１に示したＭＦＰ装置の制御手段のブロック図の他の一例である。
【図４】図１に示したＭＦＰ装置の制御手段のブロック図の他の一例である。
【図５】図１に示したＭＦＰ装置の制御手段のブロック図の他の一例である。
【図６】図１に示したＭＦＰ装置の制御手段のブロック図の他の一例である。
【図７】図１に示したＭＦＰ装置の制御手段のブロック図の他の一例である。
【図８】図１に示したＭＦＰ装置の制御手段のブロック図の他の一例である。
【図９】本発明に係るＭＦＰ装置の制御方法を適用したフローチャートの一例である。
【図１０】本発明に係るＭＦＰ装置の制御方法を適用したフローチャートの他の一例である。
【図１１】本発明に係るＭＦＰ装置の制御方法を適用したフローチャートの他の一例である。
【図１２】本発明に係るＭＦＰ装置の制御方法を適用したフローチャートの他の一例である。
【図１３】本発明に係るＭＦＰ装置の制御方法を適用したフローチャートの他の一例である。
【図１４】本発明に係るＭＦＰ装置の制御方法を適用したフローチャートの他の一例である。
【図１５】本発明に係るＭＦＰ装置の制御方法を適用したフローチャートの他の一例である。
【発明を実施するための形態】
【００２５】
＜構  成＞
図１は、本発明に係るＭＦＰ装置の一実施の形態を示すブロック図である。
同図に示すＭＦＰ装置１００は、原稿センサ１０１、用紙センサ１０２、Ｖｉｄｅｏ(ビデオ)メモリ１０３、バッテリ１０４、スキャナ１０５、プロッタ１０６、操作表示部１０７、画像メモリ１０８、パラメータメモリ１０９、時計回路１１１、通信制御部１１２、符号化複合化部１１３、ＣＰＵ(Central Processing Unit)１１４、ＲＯＭ(Read Only Memory)１１５、バッファメモリ１１６、キャラクタジェネレータ１１７、Ｎｅｔｗｏｒｋ  Ｉ／Ｆ１１８、モデム１１９、網制御装置１２０、及びバスライン１０１で構成されている。
【００２６】
原稿センサ１０１は、コピーすべき原稿が図示しない原稿載置台の上にあるか否かを判断するセンサであり、例えばフォトセンサが用いられる。
用紙センサ１０２は、図示しない用紙ストックに用紙があるか否かを判断するセンサであり、例えばフォトセンサが用いられる。
Ｖｉｄｅｏメモリ１０３は、映像データを格納するメモリである。
バッテリ１０４は、パラメータメモリ１０９のパラメータをバックアップするための電池である。
スキャナ１０５は、原稿をスキャニングする装置である。
プロッタ１０６は、用紙に画像や文字を印刷する装置である。
操作表示部１０７は、電源スイッチ、テンキー、スタートボタン、停止ボタン、表示パネル等の操作に必要なスイッチやパネル類からなる。
画像メモリ１０８は、画像データを記憶するメモリである。
パラメータメモリ１０９は、パラメータを記憶するメモリである。
時計回路１１１は、クロック信号を供給すると共に、時間を計測する回路である。
通信制御部１１２は、ネットワークを介して外部の装置とのデータの授受を行うため、Ｎｅｔｗｏｒｋ  Ｉ／Ｆ１１８、モデム１１９、及び網制御装置１２０を制御する回路である。
【００２７】
符号化複合化部１１３は、符号化されたデータを複合化し、復号化されたデータを符号化する回路である。
ＣＰＵ１１４は、ＭＦＰ装置を統括制御する回路である。
ＲＯＭ(Read Only Memory)１１５は、ＭＦＰ装置の制御プログラムを記憶するメモリである。
バッファメモリ１１６は、コピーするためのデータを一時的に記憶するメモリである。
キャラクタジェネレータ１１７は、文字や符号を発生する回路である。
Ｎｅｔｗｏｒｋ  Ｉ／Ｆ１１８は、ネットワークとの間でデータを授受するためのインターフェースである。
モデム１１９は、ＭＦＰ装置１００と外部の装置との間を電話回線で接続する回路である。
網制御装置１２０は、ＭＦＰ装置１００と外部の網との間のデータの授受を制御する回路である。
バスライン１０１は、各部との間の制御信号及びデータ信号を授受するためのラインである。
【００２８】
＜制御手段１＞
ここで、図１に示したＭＦＰ装置の制御手段について述べる。
図２は、図１に示したＭＦＰ装置の制御手段のブロック図の一例である。
同図に示す制御手段２００−１は、図１に示したＣＰＵ１１４に対応する。
制御手段２００−１は、連動手段２０１、待機手段２０２、保存／読出手段２０３、設定手段２０４、変更手段２０５、及び問合わせ手段２０６を備える。
【００２９】
連動手段２０１は、選択された機能に応じて異なる組合せで内蔵する複数のデバイスを連動させる機能を有する。
待機手段２０２は、選択された機能に応じて不要なデバイスを省エネモードで待機させる機能を有する。
保存／読出手段２０３は、利用者毎の使用電力量を保存/読み出しする機能を有する。
設定手段２０４は、選択された機能に応じて省エネモードで待機させるデバイスの制御を設定する機能を有する。
変更手段２０５は、得られた回答によって省エネモードの制御を変更する機能を有する。
問合わせ手段２０６は、現在の設定状況での使い勝手が良いか否かをユーザーに問い合わせる機能を有する。
図２に示した制御手段２００−１の制御は、後述する図９に示すフローチャートに対応する。
【００３０】
＜制御手段２＞
図３は、図１に示したＭＦＰ装置の制御手段のブロック図の他の一例である。
以下、図２に示した要素と同様の要素については同一の符号を用いる。
図３に示した制御手段２００−２と、図２に示した制御手段２００−１との相違点は、問い合わせるタイミングをアプリケーション機能単位の終了時に行う手段、すなわち現在の設定状況での使い勝手が良いか否かをユーザーに問い合わせるタイミングをアプリケーション機能単位の終了時に行う手段２０７を有する点である。
図３に示した制御手段の２００２−２の制御は、後述する図１０のフローチャートに対応する。
【００３１】
＜制御手段３＞
図４は、図１に示したＭＦＰ装置の制御手段のブロック図の他の一例である。
図４に示した制御手段２００−３と、図２に示した制御手段２００−１との相違点は、問い合わせるタイミングを機能単位の終了時に行う手段、すなわち現在の設定状況での使い勝手が良いか否かをユーザーに問い合わせるタイミングを機能単位の終了時に行う手段２０８を有する点である。
図４に示した制御手段２００−３の制御は、後述する図１１のフローチャートに対応する。
【００３２】
＜制御手段４＞
図５は、図１に示したＭＦＰ装置の制御手段のブロック図の他の一例である。
図５に示した制御手段２００−４と、図２に示した制御手段２００−１との相違点は、問い合わせを、Ｅ−ｍａｉｌを使って行う手段、すなわち、現在の設定状況での使い勝手が良いか否かをユーザーに問い合わせる際に、その問い合わせを、Ｅ−ｍａｉｌを使って行う手段２０９を有する点である。
図５に示した制御手段２００−４の制御は、後述する図１２のフローチャートに対応する。
【００３３】
＜制御手段５＞
図６は、図１に示したＭＦＰ装置の制御手段のブロック図の他の一例である。
図６に示した制御手段２００−５と、図２にした制御手段２００−１との相違点は、問い合わせを、レポートを使って行う手段、すなわち、現在の設定状況での使い勝手が良いか否かをユーザーに問い合わせる際に、その問い合わせを、レポートを使って行う手段２１０を有する点である。
図６に示した制御手段２００−５の制御は、後述する図１３のフローチャートに対応する。
【００３４】
＜制御手段６＞
図７は、図１に示したＭＦＰ装置の制御手段のブロック図の他の一例である。
図７に示した制御手段２００−６と、図２にした制御手段２００−１との相違点は、ユーザーの機能利用権限を判断する手段２１１と、省エネモードの制御を変更する際に、その判断内容を加味する手段２１２とを有する点である。
図７に示した制御手段２００−６の制御は、後述する図１４のフローチャートに対応する。
【００３５】
＜制御手段７＞
図８は、図１に示したＭＦＰ装置の制御手段のブロック図の他の一例である。
図８に示した制御手段２００−７と、図２にした制御手段２００−１との相違点は、ユーザーの機能利用頻度を判断する手段２１３と、省エネモードの制御を変更する際に、その判断内容を加味する手段２１２とを有する点である。
図８に示した制御手段２００−６の制御は、後述する図１５のフローチャートに対応する。
【００３６】
以下の制御はＲＯＭ１１５に記憶された制御プログラムの内容をもとに（ファクシミリ装置の）ＣＰＵ１１４が行なう。
＜動  作  １＞
図９は、本発明に係るＭＦＰ装置の制御方法を適用したフローチャートの一例である。
ログアウト操作されたか否かを判断する(＊ａ：ステップＳ１)。
ログアウト操作されていないと判断した場合は待機し(ステップＳ１／Ｎｏ)、ログアウト操作されたと判断した場合(ステップＳ１／Ｙｅｓ)、ログインしているユーザーの単位時間当たりの電力消費量を更新(＊ｂ)した後、ユーザーに対して電力消費量を提示する(＊ｃ：ステップＳ２)。
使い勝手が変わったか否かを操作部上で問い合わせる(＊ｄ：ステップＳ３)。
回答内容から判断して、省エネモードの制御を変更し(＊ｅ：ステップＳ４)、終了する。
【００３７】
＜動  作  ２＞
図１０は、本発明に係るＭＦＰ装置の制御方法を適用したフローチャートの他の一例である。
アプリ（アプリケーション）操作が終了したか否かを判断する(＊ｆ：ステップＳ１１)。
アプリ操作が終了していないと判断した場合は待機し(ステップＳ１１／Ｎｏ)、アプリ操作が終了したと判断した場合(ステップＳ１１／Ｙｅｓ)、ログインしているユーザーのそのアプリの単位時間当たりの電力消費量を更新してから、提示する(ステップＳ１２)。
使い勝手が変わったか否かを操作部上で問い合わせる(ステップＳ１３)。
回答内容から判断して、省エネモードの制御を変更し(ステップＳ１４)、終了する。
【００３８】
＜動  作  ３＞
図１１は、本発明に係るＭＦＰ装置の制御方法を適用したフローチャートの他の一例である。
機能操作が終了したか否かを判断する(＊ｇ：ステップＳ２１)。
機能操作が終了していないと判断した場合は待機し(ステップＳ２１／Ｎｏ)、機能操作が終了したと判断した場合(ステップＳ２１／Ｙｅｓ)、ログインしているユーザーのそのアプリの単位時間当たりの電力消費量を更新してから、提示する(ステップＳ２２)。
使い勝手が変わったか否かを操作部上で問い合わせる(ステップＳ２３)。
回答内容から判断して、省エネモードの制御を変更し(ステップＳ２４)、終了する。
【００３９】
＜動  作  ４＞
図１２は、本発明に係るＭＦＰ装置の制御方法を適用したフローチャートの他の一例である。
ログアウトしたか否かを判断する(ステップＳ３１)。
ログアウトしていないと判断した場合は待機し(ステップＳ３１／Ｎｏ)、ログアウトしたと判断した場合(ステップＳ３１／Ｙｅｓ)、ログインしているユーザーのそのアプリの単位時間当たりの電力消費量を更新してから、提示する(ステップＳ３２)。
使い勝手が変わったか否かを問い合わせる内容のＥ−ｍａｉｌを作成して、ログインしているユーザーに送信する(＊ｈ：ステップＳ３３)。
回答内容から判断して、省エネモードの制御を変更し(＊ｅ：ステップＳ３４)、終了する。
【００４０】
＜動  作  ５＞
図１３は、本発明に係るＭＦＰ装置の制御方法を適用したフローチャートの他の一例である。
ログアウトしたか否かを判断する(ステップＳ４１)。
ログアウトしていないと判断した場合は待機し(ステップＳ４１／Ｎｏ)、ログアウトしたと判断した場合(ステップＳ４１／Ｙｅｓ)、ログインしているユーザーのそのアプリの単位時間当たりの電力消費量を更新してから、提示する(ステップＳ４２)。
使い勝手が変わったか否かを問い合わせる内容のレポートを作成して印刷（出力）する(＊ｉ：ステップＳ４３)。
レポートの内容には使い勝手に応じて変更すべき設定の変更方法を記載しておく(＊ｊ)。これにより、省エネモードの制御を変更し(＊ｅ：ステップＳ４４)、終了する。
【００４１】
＜動  作  ６＞
図１４は、本発明に係るＭＦＰ装置の制御方法を適用したフローチャートの他の一例である。
ログアウトしたか否かを判断する(ステップＳ５１)。
ログアウトしていないと判断した場合は待機し(ステップＳ５１／Ｎｏ)、ログアウトしたと判断した場合(ステップＳ５１／Ｙｅｓ)、ログインしているユーザーのそのアプリの単位時間当たりの電力消費量を更新してから、提示する(ステップＳ５２)。
使い勝手が変わったか否かを操作部上で問い合わせる(ステップＳ５３)。
ログインしているユーザーの利用権限情報を取得する(ステップＳ５４)。
回答内容とそのユーザーの利用権限から判断して(＊ｋ)、省エネモードの制御を変更し(＊ｅ：ステップＳ５５)、終了する。
【００４２】
＜動  作  ７＞
図１５は、本発明に係るＭＦＰ装置の制御方法を適用したフローチャートの他の一例である。
ログアウトしたか否かを判断する(ステップＳ６１)。
ログアウトしていないと判断した場合は待機し(ステップＳ６１／Ｎｏ)、ログアウトしたと判断した場合(ステップＳ６１／Ｙｅｓ)、ログインしているユーザーのそのアプリの単位時間当たりの電力消費量を更新してから、提示する(ステップＳ６２)。
使い勝手が変わったか否かを操作部上で問い合わせる(ステップＳ６３)。
ログインしているユーザーの利用頻度情報を取得する(ステップＳ６４)。
回答内容とそのユーザーの利用頻度情報から判断して(＊ｌ)、省エネモードの制御を変更し(＊ｅ：ステップＳ６５)、終了する。
【００４３】
＜  注  ＞
(*a)ログイン〜ログアウト間の時間、電力消費量などが必要となるため、ログアウト時に処理を行う。
【００４４】
(*b)電力消費量の取得などは既知の技術で実施可能なためここでは詳細を説明しない。
【００４５】
(*c)過去数回分の電力消費量を提示することが望ましい。今回だけだと、増えているのか減っているのかがわからないため。
【００４６】
(*d)例として、
「操作に対するレスポンスが悪くなったと感じましたか？」
等の質問を行う。省エネモードを変更したことにより、各デバイスの動作開始時などに動作が重く/軽くなったと感じられると予想されるため、それが判断できるような問い合わせを行う。
【００４７】
(*e)動作が重くなったと感じたような回答の場合は、省エネ制御を弱めにする、逆の場合は強めにするなどの変更を行う。
【００４８】
(*f)アプリケーション操作開始〜終了間の時間、電力消費量などが必要となるため、アプリケーション操作終了時に処理を行う。
【００４９】
(*g)機能操作開始〜終了間の時間、電力消費量などが必要となるため、機能操作終了時に処理を行う。ここで言う機能とは、例として以下のようなものである。
・         ファクシミリアプリケーションの通信管理レポート印刷
つまり、アプリケーションの中に含まれる、小さな機能の1つのことである。
【００５０】
(*h)一般的にはログインしているユーザーのアカウント情報にはユーザーのＥ−ｍａｉｌ宛先の情報が含まれている。その情報を使ってE-mail送信する。
【００５１】
(*i)レポートの作成は既知の技術(ファクシミリの結果レポートなど)で実施可能なためここでは詳細を説明しない。
【００５２】
(*j)例として、
「操作に対するレスポンスが悪くなったと感じた場合は、初期設定X-YY-ZZZの値をAAAに変更してください。」
などのように記載しておく。この設定を変更した場合、省エネ制御を弱めにするようにすれば良い。
【００５３】
(*k)例として、ログインしているユーザーにファクシミリアプリケーションの利用権限がなければ、例え動作が重くなったと感じた、と回答された場合でも、Ｆａｘ用の通信ボードの省エネ制御を弱める必要はない。
【００５４】
(*l)例として、ログインしているユーザーにファクシミリアプリケーションの利用頻度が低ければ、例え動作が重くなったと感じた、と回答された場合でも、Ｆａｘ用の通信ボードの省エネ制御を弱める必要はない。
【００５５】
＜プログラム及び記憶媒体＞
以上で説明した本発明にかかるＭＦＰ装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００５６】
複数の機能を具備したＭＦＰ装置のコンピュータに、
(1)連動手段が、選択された機能に応じて異なる組合せで内蔵する複数のデバイスを連動させる手順、
(2)待機手段が、選択された機能に応じて不要なデバイスを省エネモードで待機させる手順、
(3)設定手段が、選択された機能に応じて省エネモードで待機させるデバイスの制御を設定する手順、
(4)保存/読出手段が、利用者毎の使用電力量を保存/読み出しする手順、
(5)問合せ手段が、現在の設定状況での使い勝手が良いか否かをユーザーに問い合わせる手順、
(6)変更手段が、得られた回答によって省エネモードの制御を変更する手順、
を実行させるプログラムが挙げられる。
【００５７】
これにより、プログラムが実行可能なコンピュータ環境さえあれば、どこにおいても本発明にかかるＭＦＰ装置を実現することができる。
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００５８】
なお、上述した実施の形態は、本発明の好適な実施の形態の一例を示すものであり、本発明はそれに限定されることなく、その要旨を逸脱しない範囲内において、種々変形実施が可能である。
【００５９】
＜作用効果＞
省エネ制御を変更した際、ユーザーに使い勝手を問い合わせてその回答内容を判断材料とするため、省エネ制御をよりユーザーに不満の無いような設定にすることができる。
【００６０】
問い合わせるタイミングをアプリケーション/機能の操作終了単位にすることによって、より省エネ効果とユーザーの使い勝手を向上させることができる。
【００６１】
問い合わせをＥ−ｍａｉｌ／レポートを使うことによって、問い合わせ内容を分かりやすく伝えて、より省エネ効果とユーザーの使い勝手を向上させることができる。
【００６２】
省エネ制御を変更する際、ユーザーからの回答だけではなく、そのユーザーのアプリケーションの利用権限/頻度を参考にすることによって、より省エネ効果とユーザーの使い勝手を向上させることができる。
【符号の説明】
【００６３】
１００    ＭＦＰ装置
１０１    原稿センサ
１０２    用紙センサ
１０３    Ｖｄｅｉｏメモリ
１０４    バッテリ
１０５    スキャナ
１０６    プロッタ
１０７    操作表示部
１０８    画像メモリ
１０９    パラメータメモリ
１１０    ハードディスク
１１１    時計回路
１１２    通信制御部
１１３    符号化複合化部
１１４    ＣＰＵ
１１５    ＲＯＭ
１１６    バッファメモリ
１１７    キャラクタジェネレータ
１１８    ＮｅｔｗｏｒｋＩ／Ｆ
１１９    モデム
１２０    網制御装置
１２１    バスライン
【先行技術文献】
【特許文献】
【００６４】
【特許文献１】特開２００６−５９１１号公報
【特許文献２】特開２００１−２０１９８６号公報
【特許文献３】特開２００６−３３０８４３号公報
【図１】
2010212963.tif 000003
【図２】
2010212963.tif 000004
【図３】
2010212963.tif 000005
【図４】
2010212963.tif 000006
【図５】
2010212963.tif 000007
【図６】
2010212963.tif 000008
【図７】
2010212963.tif 000009
【図８】
2010212963.tif 000010
【図９】
2010212963.tif 000011
【図１０】
2010212963.tif 000012
【図１１】
2010212963.tif 000013
【図１２】
2010212963.tif 000014
【図１３】
2010212963.tif 000015
【図１４】
2010212963.tif 000016
【図１５】
2010212963.tif 000017